(57)【特許請求の範囲】
【請求項１】
筐体内の通風路の上流側から集塵フィルタ、加湿フィルタの順に配置された空気清浄機において、
上記集塵フィルタよりも上記通風路の下流側で上記加湿フィルタを着脱するための開口が上記筐体に形成され、
上記筐体には、上記開口を閉塞する蓋体が設けられ、
上記蓋体は、上記通風路内の所定位置への上記加湿フィルタの装着動作に連動して上記開口を閉塞し、上記通風路内の所定位置からの上記加湿フィルタの取り出し動作に連動して上記開口を開放することを特徴とする空気清浄機。
【請求項２】
上記蓋体は、上記開口の中心を通る線で分割される２枚の扉からなり、
上記２枚の扉は、上記開口の中心を通る線から当該開口の外側に向かって開く構造であることを特徴とする請求項１に記載の空気清浄機。
【請求項３】
上記蓋体は、上記開口を覆う１枚の板状部材からなり、
上記板状部材は、当該板状部材の端部を回転中心として、上記開口の外側に向かって開く構造であることを特徴とする請求項１に記載の空気清浄機。
【請求項４】
上記蓋体は、上記開口を覆う１枚の板状部材からなり、
上記板状部材は、上記開口の開口面に沿ってスライド移動可能に設けられていることを特徴とする請求項１に記載の空気清浄機。
【請求項５】
上記蓋体は、上記開口を覆う複数枚の板状部材からなり、
上記複数枚の板状部材は、それぞれ上記開口の開口面に沿ってスライド移動可能に設けられていることを特徴とする請求項１に記載の空気清浄機。
【請求項６】
上記通風路内に蓄冷材が配置されていることを特徴とする請求項１〜５の何れか１項に記載の空気清浄機。
【請求項７】
上記蓄冷材の表面は、複数の畝状の突起部が形成されていることを特徴とする請求項６に記載の空気清浄機。
【請求項８】
上記蓄冷材は、略直方体であり、
上記通風路における空気の流れが重力方向とは逆向きであるとき、上記蓄冷材は長手方向を重力方向に一致させて配置されていることを特徴とする請求項６または７に記載の空気清浄機。
【発明の詳細な説明】
【技術分野】
【０００１】
本発明は、空気清浄機に関し、特に加湿機能を備えた空気清浄機に関する。
【背景技術】
【０００２】
室内の空気を清浄するための空気清浄機に、加湿機能を備えた空気清浄機が知られている。このような空気清浄機では、自身を通過する空気を浄化する集塵フィルタの他に、自身を通過する空気に水分を与える加湿フィルタが備えられている。
【０００３】
加湿フィルタは、吸水性及び通気性を有する加湿フィルタ本体と、加湿フィルタ本体を保持する枠体とで構成されており、加湿フィルタ本体の一部分が水槽にて浸水することによって、吸水するようになっている。
【０００４】
また、空気清浄機内の通風路には吸込口及び吹出口が設けられている。送風機が送風することによって、吸込口を介し、外部から空気が吸い込まれる。吸い込まれた空気は、集塵フィルタ及び加湿フィルタをこの順に通過してから、吹出口を介して外部に吹き出る。このとき、加湿フィルタに吸収されていた水が気化し、気化した水が、集塵フィルタによって浄化された空気と共に空気清浄機の外部に吹き出る。このようにして、加湿機能を有する空気清浄機の外部の空気が浄化及び加湿される。
【０００５】
加湿フィルタ及び水槽は、空気清浄機内の通風路の中途に設けられている開口（以下、中途開口という）を介して、通風路の所定位置へ押し入れられ、また、当該通風路の所定位置から引き出される。中途開口の開口位置は、集塵フィルタよりも通風方向下流側、且つ、送風機よりも通風方向上流側である。
【０００６】
空気清浄機において、送風機が送風すると、通風路における送風機よりも通風方向上流側の気圧は、給水空間の気圧よりも低くなる。このため、中途開口が開放された状態で送風機が送風すると、中途開口を介して空気が無用に流入する。中途開口を介して流入した空気は、集塵フィルタを全く通過しない、又は、加湿フィルタを効率よく通過しない、等の問題を起こす。
【０００７】
そこで、中途開口は、通風路と給水空間とを仕切る仕切板、及び水槽によって、略気密に閉塞される。
【０００８】
ところで、中途開口を略気密に閉塞するためには、仕切板が中途開口の開口縁部に密着している必要がある。しかしながら、加湿装置各部の僅かな寸法誤差、又は通風路の所定位置へ水槽を押し入れた際の位置ズレ等によって、中途開口の開口縁部と仕切板との間に空隙（以下、中途空隙という）が生じることがある。
【０００９】
このような中途空隙が生じた状態で送風機が送風すると、負圧によって、やはり、当該中途空隙を介して通風路内に空気が無用に流入する。このような中途空隙は中途開口に比べて狭いため、中途空隙を通過する空気によって、ピューというような笛吹き音が発生する。
【００１０】
また、仕切板は、基端部が水槽に固定されている。このため、仕切り板は、基端部が固定端であり、先端部が自由端である。このため、負圧によって仕切板が撓み、中途開口の開口縁部に当接する現象と、弾性によって仕切板が復元し、中途開口の開口縁部から離隔する現象とが交互に起きる場合がある。そして、この場合には、バタバタというような異音が発生する。
【００１１】
そこで、特許文献１には、仕切板を、遊びを有して水槽に取り付ける構成とすることにより、仕切板と中途開口の開口縁部との間に生じる無用な空隙に起因する騒音の発生を抑制することができる空気清浄機能を有する加湿装置が開示されている。
【先行技術文献】
【特許文献】
【００１２】
【特許文献１】特開２０１３−７２５８５号公報（２０１３年４月２２日公開）
【発明の概要】
【発明が解決しようとする課題】
【００１３】
しかしながら、特許文献１に開示された加湿装置では、仕切り板が水槽に取り付けられているため、仕切り板と中途開口の開口縁部との間に生じる無用な空隙を完全に無くすためには、水槽の装置本体への装着精度、仕切り板の水槽への取付精度、仕切り板の加工精度の全てを上げる必要がある。このため、各精度が十分でないと、仕切り板と中途開口の開口縁部との間に生じる無用な空隙を完全に無くすことができない。従って、特許文献１に開示された加湿装置では、この無用な空隙に起因する問題、すなわち集塵フィルタを全く通過しない空気が流入するため、空気清浄機能を十分に発揮できないという問題や、騒音が発生するという問題が生じる。
【００１４】
本発明は、前記の問題点に鑑みてなされたものであり、その目的は、加湿フィルタを脱着するための開口部の開口縁部と、この開口部を閉塞する仕切板との間に生じる無用な空隙に起因する種々の問題が発生しない空気清浄機を実現することにある。
【課題を解決するための手段】
【００１５】
上記の課題を解決するために、本発明の一態様に係る空気清浄機は、筐体内の通風路の上流側から集塵フィルタ、加湿フィルタの順に配置された空気清浄機において、上記集塵フィルタよりも上記通風路の下流側で上記加湿フィルタを着脱するための開口が上記筐体に形成され、上記筐体には、上記開口を閉塞する蓋体が設けられ、上記蓋体は、上記通風路内の所定位置への上記加湿フィルタの装着動作に連動して上記開口を閉塞し、上記通風路内の所定位置からの上記加湿フィルタの取り出し動作に連動して上記開口を開放することを特徴としている。
【発明の効果】
【００１６】
本発明の一態様によれば、仕切板と中途開口の開口縁部との間に生じる無用な空隙に起因する種々の問題が発生しない空気清浄機を実現できるという効果を奏する。
【図面の簡単な説明】
【００１７】
【図１】本発明の実施形態１に係る空気清浄機の斜視図である。
【図２】図１に示す空気清浄機の筐体に形成された加湿フィルタユニット着脱用の開口部に設けられた蓋体の回転動作を説明する図である。
【図３】図１に示す空気清浄機における水槽と、筐体の加湿フィルタユニット着脱用の開口部に設けられた蓋体との連動動作を説明する図である。
【図４】本発明の前提となる空気清浄機の斜視図である。
【図５】本発明の実施形態２に係る空気清浄機の斜視図である。
【図６】図５に示す空気清浄機の筐体に形成された加湿フィルタユニット着脱用の開口部に設けられた蓋体の回転動作を説明する図である。
【図７】本発明の実施形態３に係る空気清浄機の斜視図である。
【図８】図７に示す空気清浄機の筐体に形成された加湿フィルタユニット着脱用の開口部に設けられた蓋体のスライド動作を説明する図である。
【図９】本発明の実施形態４に係る空気清浄機の斜視図である。
【図１０】図９に示す空気清浄機の筐体に形成された加湿フィルタユニット着脱用の開口部に設けられた蓋体のスライド動作を説明する図である。
【図１１】本発明の実施形態５に係る空気清浄機の斜視図である。
【図１２】図１１に示す空気清浄機の内部構造を示す概略構成図である。
【図１３】図１１に示す空気清浄機の模式図である。
【発明を実施するための形態】
【００１８】
本発明の実施形態を説明する前に、本発明の空気清浄機の前提となる構成の空気清浄機について説明し、その後、本発明の各実施形態について説明する。
【００１９】
（前提となる空気清浄機）
図４は、本発明の前提となる空気清浄機の斜視図を示す。図４に示すように、空気清浄機は、矩形箱形のハウジング（筐体）１０の内部に、送風ファン６０、加湿フィルタユニット３０、水槽２０を備えている。また、ハウジング１０の後面には、図示しない外気を導入するための開口部が形成され、この開口部を覆うように後面パネル４０が着脱自在に設けられている。この後面パネル４０とハウジング１０の後面の開口部（図示せず）との間に脱臭フィルタ及び集塵フィルタ４２が配置されている。脱臭フィルタは、例えば、不織布に活性炭を分散保持させてなり、通気中の臭い成分を吸着、除去する作用をなす。集塵フィルタ４２は、例えば、公知のＨＥＰＡ（High Efficiency Particulate Air ）フィルタであり、通気中に含まれる微細な塵埃を捕集、除去する作用をなす。
【００２０】
ハウジング１０は、通風路の所定位置に加湿フィルタユニット３０及び水槽２０を挿入できるように、当該通風路の中途を側面から開口する、加湿フィルタユニット３０を着脱するための開口部（開口）１０ａが形成されている。つまり、加湿フィルタユニット３０及び水槽２０は、ハウジング１０内の通風路１０ｅの中途を側面から開口する開口部１０ａを介して、当該通風路１０ｅの所定位置へ押し入れられ、また、当該通風路１０ｅの所定位置から引き出される。開口部１０ａの開口位置は、上記後面パネル４０に配置された集塵フィルタ４２よりも通風方向下流側、且つ、送風ファン６０よりも通風方向上流側である。また、ハウジング１０には、上記の開口部１０ａの他に、天面に加湿された清浄な空気を排出するための開口部１０ｂが形成されている。
【００２１】
上記構成の空気清浄機は、ハウジング１０内において、後面パネル４０から導入された外気が当該ハウジング１０の天面の開口部１０ｂから排出されるまのでの通風路１０ｅの上流側から集塵フィルタ４２、加湿フィルタユニット３０内の加湿フィルタ（図示せず）の順に配置されている。従って、上記空気清浄機は、ハウジング１０内の送風ファン６０が回転することにより、後面パネル４０側から外気が導入され、脱臭フィルタ及び集塵フィルタ４２を経て、さらに加湿フィルタユニット３０を経て、ハウジング１０の天面の開口部１０ｂから加湿された清浄な空気を排出する。
【００２２】
上記構成の空気清浄機において、送風ファン６０が送風すると、ハウジング１０内の通風路１０ｅにおける当該送風ファン６０よりも通風方向上流側の気圧は、ハウジング１０外の気圧よりも低くなる。このため、ハウジング１０の開口部１０ａが開放された状態で送風ファン６０が送風すると、外気が開口部１０ａを介して通風路１０ｅに無用に流入する。そこで、開口部１０ａは、図４の（ａ）に示すように、仕切板５０、及び水槽２０によって、略気密に閉塞される。
【００２３】
水槽２０は、上部が開放された皿形の容器であり、給水タンク７０を搭載するタンク受け部２０ａと、加湿フィルタユニット３０を搭載するユニット受け部２０ｂとが形成されている。ユニット受け部２０ｂは、タンク受け部２０ａに搭載された給水タンク７０から給水され一定の水位の水を貯留し、搭載している加湿フィルタユニット３０内の加湿フィルタの一部を浸漬させるようになっている。
【００２４】
水槽２０のタンク受け部２０ａとユニット受け部２０ｂとの間には、図４の（ｂ）に示すように、上述した仕切り板５０が取り付けられている。これにより、水槽２０は、ハウジング１０の底板に設けたガイド部（図示せず）に嵌め込むことにより、当該ハウジング１０の側面に形成された開口部１０ａからユニット受け部２０ｂが挿入される。このとき、仕切り板５０によって、タンク受け部２０ａが開口部１０ｂに挿入されないようになっている。
【００２５】
ところで、開口部１０ａを略気密に閉塞するためには、仕切板５０が開口部１０ａの開口縁部に密着している必要がある。しかしながら、仕切り板５０が水槽２０に取り付けられているため、仕切り板５０と開口部１０ａの開口縁部との間に生じる無用な空隙を完全に無くすためには、水槽２０のハウジング１０への装着精度、仕切り板５０の水槽２０への取付精度、仕切り板５０の加工精度の全てを上げる必要がある。このため、各精度が十分でないと、仕切り板５０と開口部１０ａの開口縁部との間に生じる無用な空隙を完全に無くすことができない。
【００２６】
そこで、本発明に係る各実施形態では、ハウジング１０側に、開口部１０ａを閉塞するための蓋体を設けることにより、蓋体の設計精度を考慮するだけで、開口部１０ａを閉塞したときに当該開口部１０ａの周縁部に生じる無用な空隙を完全に無くすことができる空気清浄機について説明する。
【００２７】
〔実施形態１〕
本発明の実施の形態について説明すれば以下の通りである。なお、前記の前提となる空気清浄機と同一の機能を奏する部材については同一の番号を付記し、詳細な説明は省略する。
【００２８】
（空気清浄機の概要）
図１は、本実施形態に係る空気清浄機１０１の斜視図であり、（ａ）は加湿フィルタユニット３０がハウジング１０内に収納された状態を示し、（ｂ）は加湿フィルタユニット３０がハウジング１０から引き出された状態を示している。
【００２９】
空気清浄機１０１は、図１の（ａ）に示すように、図４に示す空気清浄機の仕切り板５０に相当する部材として、ハウジング１０の開口部１０ａを閉塞するための蓋体（扉１１・１２）が設けられている。従って、ハウジング１０の開口部１０ａは、扉１１、扉１２及び水槽２０によって、略気密に閉塞される。すなわち、開口部１０ａを閉塞するための蓋体は、当該開口部１０ａの中心を通る線で分割される２枚の扉１１・１２からなっている。
【００３０】
図１の（ａ）（ｂ）に示すように、開口部１０ａの正面に向かって、左側に扉１１、右側に扉１２が設けられている。扉１１は、開口部１０ａの左側縁部を中心として開閉可能に設けられ、扉１２は、開口部１０ａの右側縁部を中心として開閉可能に設けられている。これにより、上記２枚の扉１１・１２は、上記開口部１０ａの中心を通る線から当該開口部１０ａの外側（正面手前）に開く、所謂、観音開き構造となる。
【００３１】
図１の（ａ）に示すように、加湿フィルタユニット３０及び水槽２０がハウジング１０へ収納されているときは、扉１１及び扉１２は閉じた状態となり、図１の（ｂ）に示すように、加湿フィルタユニット３０及び水槽２０がハウジング１０から引き出されているときは、扉１１及び扉１２は開いた状態となる。
【００３２】
（扉１１・１２の開閉動作）
図２は、扉１１・１２の開閉動作を説明するための図であり、（ａ）は扉１１・１２が閉じた状態を示し、（ｂ）は扉１１・１２が開いた状態を示す。
【００３３】
図３は、扉１１と水槽２０との連動動作を説明するための図であり、（ａ）は図２の（ａ）に対応し、扉１１（扉１２）が閉じた状態を示し、（ｂ）は図２の（ｂ）に対応し、扉１１（扉１２）が開いた状態を示す。
【００３４】
扉１１は、端部に回転中心としての回転中心軸Ｘとなる軸部１３を有している。この軸部１３の先端部（開口部１０ａの下側）には、扉１１の扉面と直交し、且つ当該扉１１が閉じたときにハウジング１０内部に向かう方向に延設されたレバー１３ａが設けられている。図示しないが、扉１２も扉１１と同様に軸部を有し、その軸部にレバーが設けられている。
【００３５】
扉１１が閉じた状態では、図３の（ａ）に示すように、軸部１３のレバー１３ａが水槽２０のタンク受け部２０ａの挿入方向に平行な壁面２０ｃに当接し、扉１１が開いた状態では、図３の（ｂ）に示すように、軸部１３のレバー１３ａが水槽２０のタンク受け部２０ａの挿入方向に直交する壁面２０ｄに当接する。つまり、水槽２０をハウジング１０内の通風路の所定位置に挿入完了する直前に、当該水槽２０のタンク受け部２０ａの壁面２０ｄによって、扉１１に連結している軸部１３のレバー１３ａを押して当該扉１１を９０度回転（手前から開口部１０ａ側に回転）させて、開口部１０ａを閉める。このとき、扉１１の軸部１３のレバー１３ａは、タンク受け部２０ａの壁面２０ｃに当接することで、当該扉１１の閉塞状態を維持するようになっている。一方、水槽２０をハウジング１０内の通風路の所定位置から引き出すときには、当該水槽２０のタンク受け部２０ａの壁面２０ｃと上記レバー１３ａと当接が解除され、扉１１が開放され、水槽２０が引き出される。扉１２も扉１１と同様の動作を行う。
【００３６】
これにより、水槽２０の挿入動作及び引き出し動作に連動、すなわち水槽２０の着脱動作に連動して、扉１１と扉１２の開閉が行われる。なお、扉１１・１２の開閉は、上述のように、水槽２０の挿入動作及び引き出し動作に連動してもよいし、連動しなくてもよい。つまり、ユーザが、加湿フィルタユニット３０と水槽２０との挿入を完了させた後、手動により扉１１と扉１２を閉めてもよい。
【００３７】
また、上記の例では、扉１１・１２の開閉と、水槽２０の挿入動作及び引き出し動作は簡単な構成により機械的に行っていたが、電子的に行ってもよい。例えば、扉１１・１２を回転させるための駆動用のモータを設け、水槽２０の通風路内の位置を位置検出用のセンサにより検出し、このセンサからの検出信号に応じて上記モータを駆動させて扉１１・１２の開閉を行うようにしてもよい。
【００３８】
なお、上記構成の空気清浄機１０１では、ハウジング１０の開口部１０ａを閉塞するために、観音開き構造の扉１１・１２を用いているが、ハウジング１０の気密性を向上させるには、扉１１・１２を閉じた状態における当該扉１１・１２の合わせ部分の加工精度を上げる必要がある。
【００３９】
以下の実施形態２では、扉を１枚にして片開き構造とすることで、ハウジング１０の気密性をさらに向上させる例について説明する。
【００４０】
〔実施形態２〕
本発明の他の実施形態について説明すれば、以下のとおりである。なお、説明の便宜上、前記前提となる空気清浄機、前記実施形態１にて説明した部材と同じ機能を有する部材については、同じ符号を付記し、その説明を省略する。
【００４１】
（空気清浄機の概要）
図５は、本実施形態に係る空気清浄機１０２の斜視図であり、（ａ）は加湿フィルタユニット３０がハウジング１０内に収納された状態を示し、（ｂ）は加湿フィルタユニット３０がハウジング１０から引き出された状態を示している。
【００４２】
空気清浄機１０２は、図５の（ａ）に示すように、ハウジング１０の開口部１０ａを閉塞するための蓋体として、前記実施形態１に記載した扉１１・１２に代えて、扉１４が設けられている。従って、ハウジング１０の開口部１０ａは、扉１４及び水槽２０によって、略気密に閉塞される。
【００４３】
図５の（ａ）（ｂ）に示すように、扉１４は、開口部１０ａの正面に向かって、当該開口部１０ａの右側縁部を中心として開閉可能に設けられている。つまり、扉１４は、前記実施形態１の扉１１・１２を合わせた大きさの１枚板であり、片開き構造となる。
【００４４】
図５の（ａ）に示すように、加湿フィルタユニット３０及び水槽２０がハウジング１０へ収納されているときは、扉１４は閉じた状態となり、図５の（ｂ）に示すように、加湿フィルタユニット３０及び水槽２０がハウジング１０から引き出されているときは、扉１４は開いた状態となる。
【００４５】
（扉１４の開閉動作）
図６は、扉１４の開閉動作を説明するための図であり、（ａ）は扉１４が閉じた状態を示し、（ｂ）は扉１４が開いた状態を示し、（ｃ）は水槽２０の挿入完了直前または引き出し直後の扉１４の状態を示す。
【００４６】
扉１４は、基本的な構造及び動作は、前記実施形態１の扉１１・１２と同じである。すなわち、扉１４は、回転中心軸Ｘとなる軸部１５を有している。この軸部１５の先端部（開口部１０ａの下側）には、扉１４の扉面と直交し、且つ当該扉１４が閉じたときにハウジング１０内部に向かう方向に延設されたレバー１５ａが設けられている。
【００４７】
これにより、前記実施形態１の扉１１と扉１２と同様に、水槽２０の挿入動作及び引き出し動作に連動して、扉１４の開閉が行われる。なお、扉１４の開閉は、上述のように、水槽２０の挿入動作及び引き出し動作に連動してもよいし、連動しなくてもよい。つまり、ユーザが、加湿フィルタユニット３０と水槽２０との挿入を完了させた後、手動により扉１４を閉めてもよい。
【００４８】
上記の例では、扉１４の開閉と、水槽２０の挿入動作及び引き出し動作は、前記実施形態１と同様に簡単な構成により機械的に行っていたが、電子的に行ってもよい。例えば、扉１４を回転させるための駆動用のモータを設け、水槽２０の通風路内の位置を位置検出用のセンサにより検出し、このセンサからの検出信号に応じて上記モータを駆動させて扉１４の開閉を行うようにしてもよい。
【００４９】
このように、上記構成の空気清浄機１０２では、ハウジング１０の開口部１０ａを閉塞するために、観音開き構造の扉１１・１２ではなく、片開き構造の扉１４を採用しているため、ハウジング１０の開口部１０ａの気密性を向上させるために、当該扉１４の加工精度をそれほど上げる必要はない。
【００５０】
〔実施形態３〕
本発明の他の実施形態について説明すれば、以下のとおりである。なお、説明の便宜上、前記前提となる空気清浄機、前記実施形態１及び２にて説明した部材と同じ機能を有する部材については、同じ符号を付記し、その説明を省略する。
【００５１】
（空気清浄機の概要）
図７は、本実施形態に係る空気清浄機１０３の斜視図であり、（ａ）は加湿フィルタユニット３０がハウジング１０内に収納された状態を示し、（ｂ）はハウジング１０に形成された開口部１０ａが開放された状態を示し、（ｃ）は加湿フィルタユニット３０がハウジング１０から引き出された状態を示している。
【００５２】
空気清浄機１０３は、図７の（ａ）に示すように、ハウジング１０の開口部１０ａを閉塞するための蓋体として、前記実施形態１に記載した扉１１・１２に代えて、スライド部材１６が設けられている。従って、ハウジング１０の開口部１０ａは、スライド部材１６及び水槽２０によって、略気密に閉塞される。
【００５３】
図７の（ａ）（ｂ）に示すように、スライド部材１６は、ハウジング１０の開口部１０ａを開閉するために、当該開口部１０ａの開口面に平行にスライド移動可能に設けられている。本実施形態では、開口部１０ａを正面からみたときに、スライド部材１６は左側から右側にスライド移動して当該開口部１０ａを開放し、右側から左側にスライド移動して当該開口部１０ａを閉塞する。なお、スライド部材１６は、樹脂からなる１枚板であり、水槽２０と共に開口部１０ａを覆う大きさであればよい。
【００５４】
図７の（ａ）に示すように、加湿フィルタユニット３０及び水槽２０がハウジング１０へ収納されているときは、スライド部材１６は開口部１０ａが閉じる位置まで移動し、図７の（ｃ）に示すように、加湿フィルタユニット３０及び水槽２０がハウジング１０から引き出されているときは、スライド部材１６は開口部１０ａが開いた位置まで移動する。
【００５５】
（スライド部材１６のスライド機構）
図８は、スライド部材１６のスライド機構を説明するための図である。
【００５６】
ハウジング１０の開口部１０ａの上下の縁部には、図８に示すように、スライド部材１６をガイドするためのガイドレール１７・１７が設けられている。スライド部材１６は、ガイドレール１７・１７にガイドされ、矢印方向にスライド移動する。
【００５７】
スライド部材１６のスライド移動は、ユーザによる手動で行われるが、水槽２０の挿入動作及び引き出し動作に連動するようにしてもよい。例えば、スライド部材１６を移動させるための駆動用のモータを設け、水槽２０の通風路内の位置を位置検出用のセンサにより検出し、このセンサからの検出信号に応じて上記モータを駆動させてスライド部材１６をスライド移動させるようにしてもよい。
【００５８】
〔実施形態４〕
本発明の他の実施形態について説明すれば、以下のとおりである。なお、説明の便宜上、前記前提となる空気清浄機、前記実施形態１〜３にて説明した部材と同じ機能を有する部材については、同じ符号を付記し、その説明を省略する。
【００５９】
（空気清浄機の概要）
図９は、本実施形態に係る空気清浄機１０４の斜視図であり、（ａ）は加湿フィルタユニット３０がハウジング１０内に収納された状態を示し、（ｂ）は加湿フィルタユニット３０がハウジング１０から引き出された状態を示している。
【００６０】
空気清浄機１０４は、図９の（ａ）に示すように、ハウジング１０の開口部１０ａを閉塞するための蓋体として、前記実施形態１に記載した扉１１・１２に代えて、仕切り板１８が設けられている。従って、ハウジング１０の開口部１０ａは、仕切り板１８及び水槽２０によって、略気密に閉塞される。
【００６１】
図９の（ａ）（ｂ）に示すように、仕切り板１８は蛇腹形状であり、蛇腹部分を延ばしたり、縮めたりすることで、開口部１０ａを開閉するようになっている。
【００６２】
図９の（ａ）に示すように、加湿フィルタユニット３０及び水槽２０がハウジング１０へ収納されているときは、仕切り板１８の蛇腹部分が延びて開口部１０ａを閉塞した状態となり、図９の（ｂ）に示すように、加湿フィルタユニット３０及び水槽２０がハウジング１０から引き出されているときは、仕切り板１８の蛇腹部分が縮まり開口部１０ａを開放した状態となる。
【００６３】
（仕切り板１８の開閉機構）
図１０は、仕切り板１８の開閉動作を説明するための図であり、（ａ）は仕切り板１８が閉じた状態を示し、（ｂ）は仕切り板１８が開いた状態を示す。
【００６４】
仕切り板１８は、蛇腹部分を構成する、複数枚の板状部材１８ａと、板状部材１８ａの長手方向の両側に設けられた稼働軸１８ｂとで構成されている。稼働軸１８ｂは、図１０の（ａ）（ｂ）に示すように、開口部１０ａの両側に形成されたガイド用の溝１０ｃに入り込むようになっている。これにより、仕切り板１８は、各板状部材１８ａの稼働軸１８ｂが溝１０ｃに沿って上下移動することで、各板状部材１８ａが下方に移動して延びた状態となり、各板状部材１８ａが上方に移動して縮んだ状態となる。
【００６５】
仕切り板１８の開閉動作は、ユーザによる手動で行われるが、水槽２０の挿入動作及び引き出し動作に連動するようにしてもよい。例えば、仕切り板１８の各板状部材１８ａを移動させるための駆動用のモータを設け、水槽２０の通風路内の位置を位置検出用のセンサにより検出し、このセンサからの検出信号に応じて上記モータを駆動させて各板状部材１８ａを上下に移動させるようにしてもよい。
【００６６】
〔実施形態５〕
本発明の他の実施形態について説明すれば、以下のとおりである。なお、説明の便宜上、前記前提となる空気清浄機、前記実施形態１〜４にて説明した部材と同じ機能を有する部材については、同じ符号を付記し、その説明を省略する。
【００６７】
（空気清浄機の概要）
図１１は、本実施形態に係る空気清浄機１０５の斜視図である。
【００６８】
空気清浄機１０５は、外観上、前記実施形態１〜４とほぼ同じであるが、通風路上に蓄冷材２００（詳細は後述する）が配置されている点で異なる。
【００６９】
図１２は、図１１に示す空気清浄機１０５の側面図及び断面図である。
【００７０】
上記蓄冷材２００は、図１２に示すように、ハウジング１０内の送風ファン６０の回転により、外部から後面パネル４０を介して導入された空気が、集塵フィルタ４２、ＨＥＰＡフィルタ４１を通り、開口部１０ｂから排気されるまでの通風路１０ｅに配置される。蓄冷材２００の通風路１０ｅにおける好ましい配置位置は、ＨＥＰＡフィルタ４１の上流側で、且つ集塵フィルタ４２の下流側であるが、少なくとも、ＨＥＰＡフィルタ４１の上流側であればよい。この蓄冷材２００は、略直方体であり、長手方向が通風路１０ｅの通風方向に平行となるように配置され、集塵フィルタとしての機能を有している。この点について以下に説明する。
【００７１】
（蓄冷材２００の機能）
図１３は、図１２の（ｂ）に示す空気清浄機１０５を模式的に示した図である。
【００７２】
空気清浄機１０５において、送風ファン６０が回転することにより、通風路１０ｅ内が減圧され、後面パネル４０から外気が導入され、導入された外気は、まず、集塵フィルタ４２を通過し、次に、下流側に配置された蓄冷材２００を通過し、その後、ＨＥＰＡフィルタ４１を通過して、当該ＨＥＰＡフィルタ４１の下流側に配置されたイオン発生機８０によって発生したイオンと共に清浄な空気として開口部１０ｂから排出される。
【００７３】
ここで、蓄冷材２００は、外気よりも冷やされているため、表面が結露している。表面が結露している蓄冷材２００に対して、集塵フィルタ４２を通過した空気が当たると、空気中に残っている塵や埃が当該蓄冷材２００の表面の水滴に吸着される。水滴は、自重により蓄冷材２００の表面から落下する。なお、空気清浄機１０５では、蓄冷材２００の配置位置の真下に水受部９０が設けられている。つまり、蓄冷材２００で結露した水滴は、真下に設けられた水受部９０に落下し、回収される。
【００７４】
蓄冷材２００に空気が当たる面積を大きくするためには、当該蓄冷材２００の表面積を大きくすればよい。このため、図１３に示すように、蓄冷材２００の表面は、複数の畝状の突起部２００ａが形成されている。なお、蓄冷材２００の表面積を大きくする形状であれば、畝状の突起部２００ａに限定されず、どのような形状であってもよい。
【００７５】
また、上記通風路１０ｅにおける空気の流れが鉛直方向とは逆向きであるとき、上記蓄冷材２００は長手方向を鉛直方向に一致させて配置するのが好ましい。これにより、通風路１０ｅの通路幅を広くすることなく、蓄冷材２００に当たる空気の面積を大きくすることができるので、蓄冷材２００の表面に付着した水滴に吸着されたごみを効率よく回収することができる。
【００７６】
以上のように、蓄冷材２００を集塵フィルタとして機能させれば、集塵フィルタ４２を省略することもできるので、空気清浄機１０５に用いられるフィルタの数を減らすことができる。
【００７７】
さらに、蓄冷材２００を通過した空気は、当該蓄冷材２００により結露されるため、ＨＥＰＡフィルタ４１に到達する空気の湿度は、後面パネル４０から導入された空気の湿度よりも低くなる。従って、蓄冷材２００は、集塵機の他に、除湿機としても機能する。
【００７８】
蓄冷材２００を除湿機として機能させれば、湿度が上がり過ぎることによるイオンの濃度の低下を抑制できる。つまり、ＨＥＰＡフィルタ４１の下流側に配置されたイオン発生機８０を通り空気の湿度を下げることで、イオンが水に付着する量を抑えて、イオンの濃度の低下を抑制することができる。
【００７９】
なお、蓄冷材２００は、時間が経過すれば、冷却効果が低下するため、適当な時間が経過すれば、再度冷却する必要がある。このため、空気清浄機１０５では、図１３の（ａ）（ｂ）に示すように、蓄冷材２００を着脱可能なスロットイン構造としている。これにより、ユーザは、蓄冷材２００を簡単に空気清浄機１０５から取り出したり、取り付けたりすることができる。
【００８０】
つまり、空気清浄機１０５は、さらに、上記通風路１０ｅ内に配置された蓄冷材２００の温度を検出する温度センサ２０１と、上記温度センサにより検出された温度が予め設定した温度以上になったことを報知する報知部２０２とを備える。
【００８１】
このように、蓄冷材２００の温度を温度センサ２０１によって監視して、当該蓄冷材２００の温度が予め設定した温度以上、例えば結露しない温度以上になったことを報知部２０２により報知することで、ユーザは蓄冷材２００の交換時期であることを容易に把握することができる。
【００８２】
蓄冷材２００の再冷却の時期をユーザに知らせる方法としては、（１）所定の時間が経過したときにユーザに知らせる方法、（２）上述のように蓄冷材２００の温度を監視して、所定の温度以上になったときにユーザに知らせる方法、（３）蓄冷材２００の下流側に埃センサを設けて、埃センサによる検出信号から所定量以上の埃の量が検出されたとき、すなわち蓄冷材２００の集塵フィルタとしての機能が低下したときに知らせる方法等がある。
【００８３】
上記の（１）〜（３）のいずれかの方法によって蓄冷材２００の再冷却の時期が知らされたユーザは、蓄冷材２００を空気清浄機１０５から取り出し、取り出した蓄冷材２００を冷却する。このとき、別の蓄冷材２００を予め冷却しておき、取り出した蓄冷材２００と交換するようにしてもよい。
【００８４】
（効果）
上記構成の空気清浄機１０５によれば、蓄冷材２００が集塵フィルタとして機能するため、ハウジング１０の開口部１０ｂからより埃や塵の少ない清浄な空気が排出される。このように、蓄冷材２００が集塵フィルタとして機能すれば、空気清浄機１０５内のＨＥＰＡフィルタ４１や集塵フィルタ４２を用いなくてもよくなる。
【００８５】
さらに、蓄冷材２００が除湿機として機能するため、イオン発生機８０から発生するイオンに当たる空気の湿度を下げることができる。これにより、イオンが水に付着する量を抑えてイオンの濃度の低下を抑制することができる。
【００８６】
また、上記構成の空気清浄機１０５は、排出される空気の湿度が低いため、卓上に設置するスポットクーラーとして用いるのが好ましい。これにより、空気清浄機１０５とは別に駆動させているエアコンの設定温度を上げて利用することができるため、エアコンの消費電力を低減させることができ、省エネ効果も奏する。
【００８７】
なお、通風路１０ｅに蓄冷材２００を設ける上記構成については、空気清浄機１０５のみならず、前記実施形態１〜４で説明した空気清浄機１０１〜１０４にも適用することができる。
【００８８】
〔まとめ〕
本発明の態様１に係る空気清浄機は、筐体（ハウジング１０）内の通風路１０ｅの上流側から集塵フィルタ４２、加湿フィルタ（加湿フィルタユニット３０）の順に配置された空気清浄機（１０１〜１０４）において、上記集塵フィルタ４２よりも上記通風路１０ｅの下流側で上記加湿フィルタ（加湿フィルタユニット３０）を着脱するための開口（開口部１０ａ）が上記筐体（ハウジング１０）に形成され、上記筐体（ハウジング１０）には、上記開口（開口部１０ａ）を閉塞する蓋体（扉１１・１２、扉１４、スライド部材１６、仕切り板１８）が設けられていることを特徴としている。
【００８９】
上記の構成によれば、筐体に形成された、加湿フィルタを着脱するための開口を覆う蓋体が当該筐体に形成されているので、蓋体が開口を適切に覆うように形成するだけでよいため、従来のように複数の部材の加工精度を上げる必要がない。このため、蓋体と開口の開口縁部との間に無用な空隙を生じさせないようにできるため、この無用な空隙に起因する種々の問題、集塵フィルタを全く通過しない空気が流入するため、空気清浄機能を十分に発揮できないという問題や、騒音が発生するという問題は生じない。
【００９０】
本発明の態様２に係る空気清浄機は、上記態様１において、上記蓋体（扉１１・１２、扉１４、スライド部材１６、仕切り板１８）は、上記通風路１０ｅ内の所定位置への上記加湿フィルタ（加湿フィルタユニット３０）の着脱動作に連動して上記開口（開口部１０ａ）を閉塞し、上記通風路１０ｅ内の所定位置からの上記加湿フィルタ（加湿フィルタユニット３０）の取り出し動作に連動して上記開口（開口部１０ａ）を開放する構成であってもよい。
【００９１】
上記構成によれば、蓋体の開口に対する開閉が、加湿フィルタの通風路内の所定位置への着脱動作に連動しているので、蓋体による開口の開閉を確実に行わせることができる。特に、加湿フィルタを通風路内の所定位置に装着したときに、開口を蓋体により閉め忘れることがなくなるため、加湿空気清浄機を動作させた場合に、集塵フィルタを通らない外気、すなわち開口と蓋体との隙間から入る外気が通風路に導入されることを確実に防ぐことができる。
【００９２】
上記蓋体としては、以下のような構成がある。
【００９３】
本発明の態様３に係る空気清浄機は、上記態様１または２において、上記蓋体は、上記開口（開口部１０ａ）の中心を通る線で分割される２枚の扉（扉１１・１２）からなり、上記２枚の扉（扉１１・１２）は、上記開口（開口部１０ａ）の中心から当該開口（開口部１０ａ）の外側に向かって開く構造であってもよい。
【００９４】
本発明の態様４に係る空気清浄機は、上記態様１または２において、上記蓋体は、上記開口（開口部１０ａ）を覆う１枚の板状部材（扉１４）からなり、上記板状部材（扉１４）は、当該板状部材（扉１４）の端部（軸部１３）を回転中心として、上記開口（開口部１０ａ）の外側に向かって開く構造であってもよい。
【００９５】
本発明の態様５に係る空気清浄機は、上記態様１または２において、上記蓋体は、上記開口を覆う１枚の板状部材（スライド部材１６）からなり、上記板状部材（スライド部材１６）は、上記開口（開口部１０ａ）の開口面に沿ってスライド移動可能に設けられていてもよい。
【００９６】
本発明の態様６に係る空気清浄機は、上記態様１または２において、上記蓋体（仕切り板１８）は、上記開口（開口部１０ａ）を覆う複数枚の板状部材（板状部材１８ａ）からなり、上記複数枚の板状部材（板状部材１８ａ）は、それぞれ上記開口（開口部１０ａ）の開口面に沿ってスライド移動可能に設けられていてもよい。
【００９７】
本発明の態様７に係る空気清浄機は、上記態様１〜６の何れか１態様において、上記通風路１０ｅ内に蓄冷材２００が配置されていてもよい。
【００９８】
上記構成によれば、蓄冷材を冷却した状態で、通風路内に配置することで、当該通風路を抜ける空気中の水分が当該蓄冷材の表面に結露する。そして、この結露によって蓄冷材の表面に付着した水滴に空気中の塵や埃等のごみが吸着される。このため、蓄冷材を通過する前よりも通過した後のほうが空気中に含まれる塵や埃などのごみが少なくなる。つまり、蓄冷材は集塵フィルタとして機能していることになる。
【００９９】
また、蓄冷材に空気中の水分が水滴として付着するため、当該蓄冷材の配置位置よりも下流側では、通風路内の空気の湿度が下がる。これにより、蓄冷材は除湿機能を有していることになる。
【０１００】
本発明の態様８に係る空気清浄機は、上記態様７において、上記蓄冷材２００の表面は、複数の畝状の突起部２００ａが形成されていてもよい。
【０１０１】
上記構成によれば、蓄冷材の表面積を大きくすることができるため、当該蓄冷材の表面に付着する水滴を多くできる。これにより、蓄冷材のフィルタとしての機能及び除湿材としての機能を高めることができる。
【０１０２】
本発明の態様９に係る空気清浄機は、上記態様７または８において、上記蓄冷材２００は、略直方体であり、上記通風路１０ｅにおける空気の流れが鉛直方向とは逆向きであるとき、上記蓄冷材２００は長手方向を鉛直方向に一致させて配置されていてもよい。
【０１０３】
上記構成によれば、通風路における空気の流れが鉛直方向とは逆向きであるとき、上記蓄冷材は長手方向を鉛直方向に一致させて配置されていることで、通風路の通路幅を広くすることなく、蓄冷材に当たる空気の面積を大きくすることができる。これにより、蓄冷材の表面に付着した水滴に吸着されたごみを効率よく回収することができる。
【０１０４】
本発明の態様１０に係る空気清浄機は、上記態様７〜９の何れか１態様において、上記通風路１０ｅ内に配置された蓄冷材２００の温度を検出する温度センサ２０１と、上記温度センサ２０１により検出された温度が予め設定した温度以上になったことを報知する報知部２０２と、をさらに備えていてもよい。
【０１０５】
上記構成によれば、蓄冷材の温度を監視して、当該蓄冷材の温度が予め設定した温度以上、例えば結露しない温度以上になったことを報知することで、ユーザは蓄冷材の交換時期であることを把握することができる。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０７】
１０  ハウジング（筐体）
１０ａ  開口部（開口）
１０ｂ  開口部
１０ｃ  溝
１０ｅ  通風路
１１  扉（蓋体）
１２  扉（蓋体）
１３  軸部
１３ａ  レバー
１４  扉（蓋体）
１５  軸部
１５ａ  レバー
１６  スライド部材（蓋体）
１７  ガイドレール
１８  仕切り板（蓋体）
１８ａ  板状部材
１８ｂ  稼働軸
２０  水槽
２０ａ  タンク受け部
２０ｂ  ユニット受け部
２０ｃ  壁面
２０ｄ  壁面
３０  加湿フィルタユニット（加湿フィルタ）
４０  後面パネル
４１  ＨＥＰＡフィルタ
４２  集塵フィルタ
５０  仕切板
６０  送風ファン
７０  給水タンク
８０  イオン発生機
９０  水受部
１０１〜１０５  空気清浄機
２００  蓄冷材
２００ａ  突起部
２０１  温度センサ
２０２  報知部
Ｘ  回転中心軸
【図１】
0006656965.tif 000002
【図２】
0006656965.tif 000003
【図３】
0006656965.tif 000004
【図４】
0006656965.tif 000005
【図５】
0006656965.tif 000006
【図６】
0006656965.tif 000007
【図７】
0006656965.tif 000008
【図８】
0006656965.tif 000009
【図９】
0006656965.tif 000010
【図１０】
0006656965.tif 000011
【図１１】
0006656965.tif 000012
【図１２】
0006656965.tif 000013
【図１３】
0006656965.tif 000014